(57)【要約】【課題】  従来では、緊急車両の動態に応じて出動する車両を選択し、出動隊編成を行っていたため、緊急車両に積載されている燃料や資機材不足により、活動に支障がでるおそれがあった。また、緊急車両が資機材の消耗によって出動不可としていた場合、資機材を必要しない事案に対しても、本部にある指令台は出動指令を出すことができず、他の本部に応援を要請する必要が生じるおそれもあった。【解決手段】  そこで、本発明は、出動事案に必要な燃料および資機材を満たす緊急車両を選択し、出動隊編成することを目的としたものである。【選択図】  図１
2014010596.tif 000002
【特許請求の範囲】
【請求項１】
指令台と、前記指令台と通信回線で接続される複数の緊急車両を有する緊急指令システムにおいて、
前記指令台が、前記緊急車両の動態と現在位置と燃料と資機材の有無を少なくとも記憶している緊急車両記憶部と、災害種別毎に必要な緊急車両の車種と資機材の有無を少なくとも記憶している事案管理部と、出動する緊急車両を選択し出動隊編成を行う隊編成作成部とを備え、
前記指令台が緊急通報を受付けた時、
前記隊編成作成部は、
受付けた緊急通報に含まれる災害地点の情報に基づいて、各緊急車両が前記災害地点で活動するのに必要な燃料の量を算出し、
また、受付けた緊急通報に含まれる災害種別の情報に基づいて、必要な緊急車両の車種とその緊急車両に積載する資機材を前記事案管理部より取得し、
算出した燃料の量以上の量の燃料を積載し、前記事案管理部より取得した必要な緊急車両の車種とその緊急車両に必要な資機材を積載されている緊急車両を前記緊急車両記憶部より選択し、出動隊編成を行うことを特徴とする緊急指令システム。
【請求項２】
前記出動隊編成により選択した緊急車両では前記必要な緊急車両が足りない場合、
前記隊編成作成部は、算出した燃料の量以上の量の燃料を積載しているが、前記事案管理部より取得した必要な資機材を積載していない緊急車両を追加で選択し出動隊編成を行い、
追加で選択した緊急車両が積載していない前記必要な資機材を、資機材を補充できる場所から出動する緊急車両に同必要な資機材を追加して積載するよう指令することを特徴とする請求項１に記載の緊急指令システム。
【発明の詳細な説明】
【技術分野】
【０００１】
本発明は、出動する緊急車両を選択し、出動隊編成を行う緊急指令システムに関する。
【背景技術】
【０００２】
緊急指令システムは、火災や救急などの１１９番通報を受け付け、その通報内容により各署所の消防車両または救急車両（以下、緊急車両と記載）に対して出動指令などを行うためのシステムである。従来の緊急指令システムにおいては、本部に設置された指令台は管轄する緊急車両の活動状況（以下、動態と記載）を管理し、動態に応じて出動する緊急車両を選択し、出動隊編成を行っていた。
【０００３】
消火活動や救急活動の終了後、緊急車両は積載すべき薬剤や空気呼吸器などの資機材や燃料が少なくなっているため、資機材不足や燃料不足による到達遅れにより活動に支障がでるおそれがあったので、緊急車両の動態を「出動不可」にする場合があった。
【０００４】
そのため、指令台は緊急車両の動態を基に出動隊編成を行うため、上記の緊急車両の現在位置の近くに出動先がある事案や、出動先で資機材を必要としない事案に対しても上記の緊急車両を出動隊編成に組み込まず、他の緊急車両を選択して出動隊編成を行っており、出動先に到着するまでに時間の掛るおそれがあった。また、管轄している緊急車両だけでは足りない場合、他の本部に応援を要請する必要が生じるおそれもあった。
【０００５】
車両に積み込んだ資機材や燃料を管理する先行技術に以下の二つがある。
車両の燃料を管理するものとして、特許文献１がある。この先行技術には、燃料タンクにセンサを設け、センサで検出した燃料の残量を通信回線を介してセンターへ送信し、受信したセンターは燃料の残量から走行可能距離を算出し、目的地までの距離と比較して、走行可能距離が目的地までの距離に足りない、つまり燃料不足が予想される場合は、センターは燃料不足を表示するように、通信回線を介して車載端末に指示する技術が開示されている。
【０００６】
また、車両に積み込んだ資機材を管理するものとして、特許文献２がある（特許文献２では資機材を「荷物」と記載）。この先行技術には、目的地を入力すると目的地に応じた必要な資機材が積み込まれているか否かをチェックするものである。
【先行技術文献】
【特許文献】
【０００７】
【特許文献１】特開２００４−５０８９８号公報
【特許文献２】特開２００６−１２７１５１号公報
【発明の概要】
【発明が解決しようとする課題】
【０００８】
しかし、これらの先行技術では車両に積載されている燃料や資機材の管理を行うことは開示されているが、出動事案に必要な条件を満たす緊急車両を選択することは開示されていない。
【０００９】
そこで、本発明は、出動事案に必要な燃料の量および資機材を備える緊急車両を選択し、出動隊編成を行うことを目的としたものである。
【課題を解決するための手段】
【００１０】
上述した課題を解決し、目的を達成するために、本発明の緊急指令システムは、指令台と、前記指令台と通信回線で接続される複数の緊急車両を有する緊急指令システムにおいて、前記指令台が、前記緊急車両の動態と現在位置と燃料と資機材の有無を少なくとも記憶している緊急車両記憶部と、災害種別毎に必要な緊急車両の車種と資機材の有無を少なくとも記憶している事案管理部と、出動する緊急車両を選択し出動隊編成を行う隊編成作成部とを備え、前記指令台が緊急通報を受付けた時、前記隊編成作成部は、受付けた緊急通報に含まれる災害地点の情報に基づいて、各緊急車両が前記災害地点で活動するのに必要な燃料の量を算出し、また、受付けた緊急通報に含まれる災害種別の情報に基づいて、必要な緊急車両の車種とその緊急車両に積載する資機材を前記事案管理部より取得し、算出した燃料の量以上の量の燃料を積載し、前記事案管理部より取得した必要な緊急車両の車種とその緊急車両に必要な資機材を積載されている緊急車両を前記緊急車両記憶部より選択し、出動隊編成を行う。
【００１１】
また、本発明の緊急指令システムは、前記出動隊編成により選択した緊急車両では前記必要な緊急車両が足りない場合、前記隊編成作成部は、算出した燃料の量以上の量の燃料を積載しているが、前記事案管理部より取得した必要な資機材を積載していない緊急車両を追加で選択し出動隊編成を行い、追加で選択した緊急車両が積載していない前記必要な資機材を、資機材を補充できる場所から出動する緊急車両に同必要な資機材を追加して積載するよう指令する。
【発明の効果】
【００１２】
本発明の緊急指令システムによれば、必要とする資機材が少ない緊急通報の事案に対して、必要な資機材を積載している緊急車両を選択することができ、適切な出動隊編成を組むことができる。また、緊急車両に積載されている資機材を管理しているため、緊急通報の事案に対して不足している資機材を、署所や本部などの資機材を補充できる場所から出動する緊急車両が追加で積載して出動することで、資機材不足による活動への支障を解消し、出動隊編成を行うことができる。
【図面の簡単な説明】
【００１３】
【図１】図１は、本発明にかかる緊急指令システムの構成図である。
【図２】図２は、本発明にかかる表示部に表示される災害地点の周辺を示した地図である。
【図３】図３は、本発明にかかる緊急指令システムで管轄する緊急車両の情報をまとめた表である。
【図４】図４は、本発明にかかる緊急指令システムに記憶されている事案をまとめた表である。
【図５】図５は、本発明にかかる緊急指令システムに記憶されている災害種別毎に必要な車種および資機材をまとめた表である。
【図６】図６は、本発明にかかる実施例１と実施例２における各緊急車両が災害地点までに必要な燃料の量を示した表である。
【発明を実施するための形態】
【００１４】
以下に、本発明にかかる緊急指令システムの実施例を図面に基づいて詳細に説明する。なお、以下の説明により本発明が限定されるものではない。また、以下の説明による構成要素には、当業者が置換可能かつ容易なもの、或いは実質的同一のもの、いわゆる均等の範囲のものが含まれる。
【００１５】
本発明にかかる緊急指令システムの構成について図１を基に説明する。緊急指令システムは、本部に設置され出動隊編成などを行う指令台１００と、指令台１００と通信回線で接続され災害現場に出動する緊急車両２００から構成されている。なお、上記構成に加えて、緊急車両２００が待機する署所や、指令台１００と緊急車両２００との間で無線通信を中継する中継局を設置しても良い。
【００１６】
指令台１００は、受付けた緊急通報内容を入力するための入力部１０１と、受付けた緊急通報内容および災害現場周辺の地図などを表示する表示部１０２と、指令台１００で管轄する緊急車両２００の動態などを記憶する緊急車両記憶部１０３と、受付けた緊急通報の災害種別に応じた必要な人員および緊急車両や資機材を記憶している事案管理部１０４と、出動隊編成を行う隊編成作成部１０５と、通信回線を介して緊急車両２００との間で情報を送受信する送受信部１０６と、上記構成の制御および構成間の情報の伝達を行う制御部１０７とを備えている。
【００１７】
一方、緊急車両２００は、通信回線を介して指令台１００との間で情報を送受信する送受信部２０１と、送受信部２０１で受信した情報などを表示する表示部２０２と、緊急車両２００の動態を変更するなど情報を入力するための入力部２０３と、緊急車両２００に積載されている資機材の有無を記憶している資機材管理部２０４と、緊急車両２００の燃料の量を計測する燃料センサ２０５と、上記構成の制御および構成間の情報の伝達を行う制御部２０６とを備えている。資機材管理部２０４と燃料センサ２０５で取得した情報は、入力部２０３を用いて緊急車両２００の動態を変更させた時や予め定めた時刻に、送受信部２０１を介して指令台１００に送信される。資機材管理部２０４と燃料センサ２０５で取得した情報を受信した指令台１００は、緊急車両記憶部１０３に記憶されている緊急車両２００の動態などの情報を更新する。
【００１８】
緊急車両記憶部１０３と事案管理部１０４に記憶されている、緊急車両２００の動態や資機材等の情報（データベース）の管理について説明する。指令台１００内にある緊急車両記憶部１０３には、図３に示すように、緊急車両情報マスタの中に、緊急車両２００の動態と、緊急車両２００に積載されている資機材の有無が記憶されている。緊急車両情報マスタは、各緊急車両に振り分けられた番号である車両コード毎に分けられており、「車種」、「動態」、「現在位置」、「燃料」、各「資機材」の有無、「補充可能」が記憶されている。この「補充可能」は、緊急車両が「資機材」を補充することができる署所や本部などに待機しているか否かを示したものである。なお、記憶されている情報の一部は、緊急車両２００から通信回線を介して送信された情報である。
【００１９】
指令台１００内にある事案管理部１０４には、現在受付している事案の「災害種別」や「災害地点」などの情報を記憶している事案管理マスタと、「火災」や「救急」など「災害種別」に応じた必要な緊急車両２００の「車種・台数」や「資機材」を記憶している災害資機材マスタが記憶されている。図４に示すように、事案管理マスタには、受付けた緊急通報の事案内容が、「事案番号」毎に、「災害地点」、「災害種別」、「災害規模」が記憶されている。また、図５に示すように、災害資機材マスタには、「災害種別」および「災害規模」毎に、必要な「車種・台数」、「資機材」が記憶されている。例えば、「災害種別」が「火災」で「災害規模」が「中」の時は、必要な「車種・台数」は「消防５台」と「救急１台」つまり、消防車両が５台と救急車両が１台となる。一方、必要な「資機材」は、消防車両では「資機材Ｘ」と「資機材Ｙ」となり、救急車両では「資機材Ｘ」となる。
【００２０】
隊編成作成部１０５は、緊急車両記憶部１０３と事案管理部１０４に記憶されている情報（データベース）に基づいて出動する緊急車両を選択し、出動隊編成を行う。出動隊編成の詳細について、以下に説明する。まず、隊編成作成部１０５は、現在受付中の緊急通報に付与されている事案番号を基に事案管理部１０４の事案管理マスタより事案の情報を取得する。取得した事案の情報から、「災害地点」、「災害種別」、「災害規模」を読み出す。読み出した「災害地点」を基に、隊編成作成部１０５は、「災害地点」で活動するのに必要な燃料の量、つまり、緊急車両２００が「災害地点」まで走行し、消火活動や救助活動などの活動を行い、署所まで戻るために必要な燃料の量を算出する。また、読み出した「災害種別」、「災害規模」を基に、隊編成作成部１０５は、事案管理部１０４の災害資機材マスタより、受付中の事案に必要な緊急車両の「車種・台数」およびその「車種」に必要な「資機材」を取得する。
【００２１】
隊編成作成部１０５は、緊急車両記憶部１０３の緊急車両情報マスタに基づいて、算出した「災害地点」で活動するのに必要な燃料の量を積載し、取得した必要な緊急車両の「車種・台数」およびその「車種」に必要な「資機材」を備えた緊急車両を選択し、出動隊編成に組み込む。隊編成作成部１０５が以上の作業を行うことで、出動隊編成を行うことができる。
【００２２】
（実施例１）
「事案管理マスタ」の「事案番号」が「１００１」の「災害種別」が「救急」で、「災害規模」が「小」の緊急通報を受付けた場合を実施例１として、以下に図２を基に説明する。なお、図２に示すように、星印は「救急」の緊急通報の「災害地点」を示したものであり、黒丸印は緊急車両２００の「現在位置」を示した「災害地点」周辺の地図である。
【００２３】
緊急通報を受付けた指令台１００の隊編成作成部１０５は、事案管理部１０４の事案管理マスタから「事案番号」が「１００１」に関連する情報を読み出し、図４に示すような出動先の「災害地点」の緯度経度の情報を示した「Ｘ、Ｙ」を取得する。次に、隊編成作成部１０５は、指令台１００で管轄する全緊急車両（「車両Ａ」〜「車両Ｅ」）の「現在位置」である緯度経度の情報を「緊急車両記憶部１０３」の「緊急車両情報マスタ」より取得する。そして、隊編成作成部１０５は「災害地点」の緯度経度を示した「Ｘ、Ｙ」までの走行距離を、「緊急車両記憶部１０３」の「緊急車両情報マスタ」より取得した「現在位置」に基づいて各緊急車両について求め、求めた走行距離から図６に示すような「災害地点」で活動するために必要な燃料の量を算出する。
【００２４】
次に、隊編成作成部１０５は、算出した必要な燃料の量が各緊急車両に積載されているか否かを判断する。隊編成作成部１０５は、「緊急車両情報マスタ」より各緊急車両の「燃料」の量を取得し、算出した必要な燃料の量と比較する。取得した「燃料」の量が必要な燃料の量以上である場合、隊編成作成部１０５はその緊急車両を「出動可」と判断する。本実施例では、「車両Ａ」、「車両Ｂ」、「車両Ｃ」、「車両Ｄ」、「車両Ｅ」に積載されている燃料の量は「３０」、「２５」、「３５」、「１０」、「５０」に対し、必要な燃料の量は「２０」、「１５」、「２０」、「１５」、「３０」である。上記の算出した必要な燃料の量より、隊編成作成部１０５は、「車両Ａ」、「車両Ｂ」、「車両Ｃ」、「車両Ｅ」は必要な燃料の量を積載しているので「出動可」と判断し、「車両Ｄ」は必要な燃料の量を積載していないので「出動不可」と判断する。
【００２５】
次に、隊編成作成部１０５は、「出動可」と判断した緊急車両（「車両Ａ」、「車両Ｂ」、「車両Ｃ」、「車両Ｅ」）のうち、緊急通報に必要な資機材を積載している緊急車両を選択する。本実施例では「災害種別」が「救急」で、「災害規模」が「小」なので、図５に示す災害資機材マスタより、必要な「車種・台数」が「救急１台」で必要な「資機材」が「資機材Ｘ」であるという情報を取得する。隊編成作成部１０５は、取得した情報に該当する緊急車両として「車種」が「救急」で「資機材Ｘ」を積載した「車両Ａ」を選択し、「車両Ａ」を出動隊編成に組み込む。以上より、本実施例の緊急指令システムは、「救急」の緊急通報に対して、緊急通報の事案内容に必要な車種に必要な資機材だけを積載した「車両Ａ」を出動させることができ、適切な隊編成を行うことができる。
【００２６】
（実施例２）
「事案管理マスタ」の「事案番号」が「１００２」の災害種別が「火災」で、災害規模が「小」の緊急通報を受付けた場合を実施例２として、以下に説明する。なお、「災害地点」および「緊急車両」の「現在位置」などは実施例１と同じ条件とし、図２を基に説明する。
【００２７】
緊急通報を受付けた指令台１００の隊編成作成部１０５は、事案管理部１０４から「事案番号」が「１００２」に関連する情報を読み出し、図４に示すような出動先の「災害地点」の緯度経度の情報を示した「Ｘ、Ｙ」を取得する。次に、実施例１と同様に、隊編成作成部１０５は「災害地点」の緯度経度である「Ｘ、Ｙ」までの走行距離を各緊急車両について求め、求めた走行距離から図６に示すような「災害地点」で活動するために必要な燃料の量を算出し、求めた燃料の量以上の量の「燃料」が積載されているか否かを各緊急車両について判断する。実施例１と同様に、隊編成作成部１０５は、「車両Ａ」、「車両Ｂ」、「車両Ｃ」、「車両Ｅ」は必要な燃料の量を積載しているので「出動可」と判断し、「車両Ｄ」は必要な燃料の量を積載していないので「出動不可」と判断する。
【００２８】
次に、隊編成作成部１０５は、「出動可」と判断した緊急車両（「車両Ａ」、「車両Ｂ」、「車両Ｃ」、「車両Ｅ」）のうち、緊急通報に必要な資機材を積載している緊急車両を選択する。本実施例では「災害種別」が「火災」で、「災害規模」が「小」なので、図５に示す災害資機材マスタより、必要な「車種・台数」が「消防３台」「救急１台」で必要な「資機材」が「消防」は「資機材Ｘ」、「資機材Ｙ」であり、「救急」は「資機材Ｘ」であるという情報を取得する。隊編成作成部１０５は、取得した情報に当てはまる緊急車両を選択するが、該当する車両が「車両Ａ」、「車両Ｂ」、「車両Ｅ」しかない。そのため、必要な「車種・台数」に対して「消防１台」が不足することになる。そこで、隊編成作成部１０５は、資機材が不足している「出動可」の緊急車両の中から出動車両を選択する。本実施例では、「車両Ｃ」が該当するので、「車両Ｃ」を出動車両に選択し、出動隊編成に組み込む。そして、隊編成作成部１０５は、「緊急車両情報マスタ」に基づいて「補充可能」が「可」となっている署所や本部に待機している緊急車両に不足分の「資機材」を積載するよう指示する。本実施例では、署所に待機していた「車両Ｅ」の「補充可能」が「可」となっているため、指令台１００は、「車両Ｃ」の不足分「資機材Ｙ」を追加で積載する指令を、「車両Ｅ」の表示部２０２に表示して、指示をする。これにより、「車両Ｃ」に不足している「資機材Ｙ」を補充することができる。
【００２９】
以上より、本発明の緊急指令システムによれば、出動事案に必要な条件を満たす緊急車両を選択することができ、事案内容に合った出動隊編成を組み込むことができる。また、緊急車両に積載されている資機材を管理しているため、不足している資機材を補充できる署所や本部などから出動する緊急車両が追加で積載して出動することで、資機材不足による活動への支障を解消することができる。
【符号の説明】
【００３０】
１００    指令台
１０１    入力部
１０２    表示部
１０３    緊急車両記憶部
１０４    事案管理部
１０５    隊編成作成部
１０６    送受信部
１０７    制御部
２００    緊急車両
２０１    送受信部
２０２    表示部
２０３    入力部
２０４    資機材管理部
２０５    燃料センサ
２０６    制御部
【図１】
2014010596.tif 000003
【図２】
2014010596.tif 000004
【図３】
2014010596.tif 000005
【図４】
2014010596.tif 000006
【図５】
2014010596.tif 000007
【図６】
2014010596.tif 000008